(57)【要約】【課題】装置全体の大型化及びコストアップを抑えて電池膨張などの電池の様相を検出して対応することができる情報処理方法、情報処理デバイス及び記憶媒体を提供すること。【解決手段】情報処理デバイスのコントローラ回路を使用して、電池の一部分に塗布された印刷抵抗素子の抵抗を測定することと、前記測定に基づいて、電池膨張に関連付けられた様相を特定することと、プロセッサを使用して、前記様相が所定の閾値よりも大きいかを判定することと、前記様相が前記所定の閾値よりも大きいと判定したことに応答して、是正措置の実行をトリガすることとを含む。【選択図】図３
2020102449.tif 000002
【特許請求の範囲】
【請求項１】
情報処理デバイスのコントローラ回路を使用して、電池の一部分に塗布された印刷抵抗素子の抵抗を測定することと、
前記測定に基づいて、電池膨張に関連付けられた様相を特定することと、
プロセッサを使用して、前記様相が所定の閾値よりも大きいかを判定することと、
前記様相が前記所定の閾値よりも大きいと判定したことに応答して、是正措置の実行をトリガすることと
を含む、情報処理方法。
【請求項２】
前記印刷抵抗素子が導電性インクである、請求項１に記載の情報処理方法。
【請求項３】
前記測定することが、前記印刷抵抗素子の前記抵抗を所定の間隔で測定することを含む、請求項１に記載の情報処理方法。
【請求項４】
前記様相が電池膨張レベルに相当し、かつ前記所定の閾値が限界点に相当する、請求項１に記載の情報処理方法。
【請求項５】
前記様相が電池膨張率に相当し、かつ前記所定の閾値が限界率に相当する、請求項１に記載の情報処理方法。
【請求項６】
前記トリガすることが、追加のユーザ入力なしに自動的にトリガすることを含む、請求項１に記載の情報処理方法。
【請求項７】
前記是正措置を前記トリガすることは、電池膨張レベルまたは電池膨張率が前記所定の閾値よりも大きいという通知をユーザに提供することを含む、請求項１に記載の情報処理方法。
【請求項８】
前記是正措置を前記トリガすることが、前記情報処理デバイスのシステムから前記電池を切り離すことを含む、請求項１に記載の情報処理方法。
【請求項９】
前記是正措置を前記トリガすることが、前記電池の最大充電レベルを下げることを含む、請求項１に記載の情報処理方法。
【請求項１０】
プロセッサを使用して、自然膨張サイクルを特定することと、
プロセッサを使用して、前記様相が前記自然膨張サイクルに相当するかを判定することと、
前記様相が前記自然膨張サイクルに相当すると判定したことに応答して、前記是正措置の実行をトリガしないことと
をさらに含み、
前記様相が電池膨張率に相当する、請求項１に記載の情報処理方法。
【請求項１１】
コントローラ回路と、
電池と、
プロセッサと、
前記コントローラ回路を使用して、前記電池の一部分に塗布された印刷抵抗素子の抵抗を測定し、前記測定に基づいて、電池膨張に関連付けられた様相を特定し、前記プロセッサを使用して、前記様相が所定の閾値よりも大きいかを判定し、前記様相が前記所定の閾値よりも大きいと判定したことに応答して、是正措置の実行をトリガするように前記プロセッサによって実行可能な命令を記憶するメモリデバイスと
を備える、情報処理デバイス。
【請求項１２】
前記印刷抵抗素子が導電性インクである、請求項１１に記載の情報処理デバイス。
【請求項１３】
前記様相が電池膨張レベルに相当し、かつ前記所定の閾値が限界点に相当する、請求項１１に記載の情報処理デバイス。
【請求項１４】
前記様相が電池膨張率に相当し、かつ前記所定の閾値が限界率に相当する、請求項１１に記載の情報処理デバイス。
【請求項１５】
トリガするように前記プロセッサによって実行可能な前記命令が、追加のユーザ入力なしに自動的にトリガするように前記プロセッサによって実行可能な命令を含む、請求項１１に記載の情報処理デバイス。
【請求項１６】
前記是正措置をトリガするように前記プロセッサによって実行可能な前記命令は、電池膨張レベルまたは電池膨張率が所定の閾値よりも大きいという通知をユーザに提供するように前記プロセッサによって実行可能な命令を含む、請求項１１に記載の情報処理デバイス。
【請求項１７】
前記是正措置をトリガするように前記プロセッサによって実行可能な前記命令が、前記情報処理デバイスに関連付けられたシステムから前記電池を切り離すように前記プロセッサによって実行可能な命令を含む、請求項１１に記載の情報処理デバイス。
【請求項１８】
前記是正措置をトリガするように前記プロセッサによって実行可能な前記命令が、前記電池の最大充電レベルを下げるように前記プロセッサによって実行可能な命令を含む、請求項１１に記載の情報処理デバイス。
【請求項１９】
前記命令がさらに、自然膨張サイクルを特定し、前記様相が前記自然膨張サイクルに相当するかを判定し、前記様相が前記自然膨張サイクルに相当すると判定したことに応答して、前記是正措置の実行をトリガしないように前記プロセッサによって実行可能であり、
前記様相が電池膨張率に相当する、
請求項１１に記載の情報処理デバイス。
【請求項２０】
プロセッサによって実行可能なコードであって、
電池に塗布された印刷抵抗素子の抵抗を測定するコードと、
電池膨張に関連付けられた様相を特定するコードと、
前記様相が所定の閾値よりも大きいかを判定するコードと、
前記様相が前記所定の閾値よりも大きいと判定したことに応答して、是正措置の実行をトリガするコードと
を含む、前記コードを記憶する記憶デバイス
を備える、情報記録媒体。
【発明の詳細な説明】
【技術分野】
【０００１】
本発明は、装置全体の大型化及びコストアップを抑えて電池膨張などの電池の様相を検出して対応することができる情報処理方法、情報処理デバイス及び記憶媒体に関する。
【背景技術】
【０００２】
電池は、様々な異なる情報処理デバイス（デバイス）、例えば、スマートフォン、タブレットデバイス、ラップトップおよびパーソナルコンピュータ、およびその他において共通して利用される。通常、電池の主要な機能は、デバイスが代替電源から切り離されたときにデバイスのハードウェアコンポーネントに電力を提供することである。充電式電池（すなわち、充電、負荷への放電、その後の再充電などが可能である電池）の場合には、長期間の使用後に、これらの電池は劣化して最終的に故障することがある。
【先行技術文献】
【特許文献】
【０００３】
【特許文献１】特開２０１９−１１４４１１号公報
【発明の概要】
【発明が解決しようとする課題】
【０００４】
ところで、充電式電池（リチウムイオン電池など）の膨張または膨大は、頻繁に起こる。そのような事例では、電池の複数の部分が実際に拡大して電池の標準形状を変形させるかまたは歪める場合がある。一般に、膨張は、電解質の電気化学的酸化に起因してガスが生じる結果として起こる。そのような酸化は通常、電池の過充電、電池の長期間の利用、不良電池、デバイスまたは電池充電器内における充電不良の電子機器、それらの組み合わせ、およびその他の結果である。膨張した電池は、電池の歪んだ形状に起因して電子デバイス内の周辺回路と適切にインターフェースをとることができないことがあり、このことが機械的誤作動につながる場合がある。追加的に、膨張した電池は、大型の電子デバイス内への電池の組み込みに伴う電池内での潜在的なガスの蓄積に起因して火災を引き起こす危険性があり得る。機械的誤作動前の膨張状態の検出によって、ユーザへの警告、充電パラメータの変更、充電の無効化などの介入が可能となる。
【０００５】
電池膨張検出の従来の方法は、容量とセルの健康状態とを推測するために電池セルの電気的測定を含む。容量が減少した膨張した電池セルは、この方法によって検出される。しかしながら、誤作動前にすべての膨張事象が電気的特性に大きな変化を生じさせるとは限らない。追加的に、容量劣化は、瞬時に測定できず、むしろ、検出するのに使用状況に応じて一般的に数時間またはさらには数日間の測定を必要とする。電池膨張検出の別の従来の方法は、セルと外表面との間の圧力を直接測定するために使用できる、圧電パッドなどの、別個の圧力センサの使用を伴う。しかしながら、これらのセンサは、概して、ノートブック、スマートフォン、および他の小型でコスト重視のデバイス内において一般消費者によって使用されるにはあまりにも大型でかつ高価である。
【０００６】
本発明は、上記に鑑みてなされたものであって、装置全体の大型化及びコストアップを抑えて電池膨張などの電池の様相を検出して対応することができる情報処理方法、情報処理デバイス及び記憶媒体を提供することを目的とする。
【課題を解決するための手段】
【０００７】
要約すると、一態様は、情報処理デバイスのコントローラ回路を使用して、電池の一部分に塗布された印刷抵抗素子の抵抗を測定することと、測定に基づいて、電池膨張に関連付けられた様相を特定することと、プロセッサを使用して、様相が所定の閾値よりも大きいかを判定することと、様相が所定の閾値よりも大きいと判定したことに応答して、是正措置の実行をトリガすることとを含む、情報処理方法を提供する。
【０００８】
別の態様は、コントローラ回路と、電池と、プロセッサと、コントローラ回路を使用して、電池の一部分に塗布された印刷抵抗素子の抵抗を測定し、測定に基づいて、電池膨張に関連付けられた様相を特定し、プロセッサを使用して、様相が所定の閾値よりも大きいかを判定し、様相が所定の閾値よりも大きいと判定したことに応答して、是正措置の実行をトリガするようにプロセッサによって実行可能な命令を記憶するメモリデバイスとを備える、情報処理デバイスを提供する。
【０００９】
さらなる態様は、プロセッサによって実行可能なコードであって、電池に塗布された印刷抵抗素子の抵抗を測定するコードと、電池膨張に関連付けられた様相を特定するコードと、様相が所定の閾値よりも大きいかを判定するコードと、様相が所定の閾値よりも大きいと判定したことに応答して、是正措置の実行をトリガするコードとを含む、コードを記憶する記憶デバイスを備える、記憶媒体を提供する。
【００１０】
前述は、概略であり、したがって、簡略化、一般化、および詳細の省略を含むこともある。それゆえ、当業者は、前述の概略が例示的なものにすぎず、決して限定を意図するものではないことを認識するであろう。
【００１１】
実施形態の他のおよびさらなる特徴ならびに利点と共に、実施形態を最も良く理解するために、添付の図面と併せて解釈される、以下の説明が参照される。本発明の範囲は、添付の特許請求の範囲において定められる。
【発明の効果】
【００１２】
本発明の上記態様によれば、コンテンツがユーザの視野内のある特定のオブジェクト上に表示されるのを動的に防止することができる。
【図面の簡単な説明】
【００１３】
【図１】図１は、情報処理デバイス回路の例を図示する図である。
【図２】図２は、情報処理デバイス回路の別の例を図示する図である。
【図３】図３は、電池変形を検出する例示的な方法を図示する図である。
【発明を実施するための形態】
【００１４】
本明細書において概して図で説明され図示される、実施形態の構成要素が、説明した例示的な実施形態に加えて、多種多様な異なる構成で配設され設計され得ることは容易に理解されるであろう。したがって、図に表される、例示的な実施形態の以下のより詳細な説明は、特許請求の範囲に記載される、実施形態の範囲を限定するように意図されたものではなく、例示的な実施形態の代表的なものにすぎない。
【００１５】
本明細書の全体にわたる「一実施形態」または「実施形態」（またはその他）への言及は、その実施形態に関連して説明される特定の特徴、構造、または特性が、少なくとも１つの実施形態に含まれることを意味する。したがって、本明細書全体を通して種々の箇所で「一実施形態において」または「実施形態において」またはその他の表現が見られるが、必ずしもすべてが同一の実施形態について言及しているわけではない。
【００１６】
さらに、説明する特徴、構造、または特性は、１つまたは複数の実施形態においてあらゆる好適な方式で組み合わされ得る。以下の説明では、実施形態の完全な理解を与えるために数多くの具体的な詳細が提供される。しかしながら、当業者であれば、１つもしくは複数の具体的な詳細なしに、または他の方法、構成要素、材料などを用いて、種々の実施形態を実施できることを認識するであろう。他の例では、不明瞭になるのを避けるために、周知の構造、材料または動作は詳細に示されていないかまたは説明されていない。
【００１７】
実施形態は、セル本体全体に広がるとともにコントローラ回路によって（例えば、抵抗器またはヒューズとして）測定される、導電性インクまたは同様の印刷抵抗素子を利用することによって電池膨張を効果的に検出するための方法を提供する。実施形態では、電池に塗布された印刷抵抗素子（例えば、導電性インクなど）の抵抗は、コントローラ回路を使用して測定されてもよい。次いで、実施形態は、これらの測定に基づいて電池膨張の様相を特定してもよい。例えば、実施形態では、様相は、電池膨張レベル（すなわち、電池膨張／変形の大きさに関連付けられた対象値）、電池膨張率（すなわち、電池が膨らむ／変形する率に関連付けられた対象率値）、それらの組み合わせ、およびその他の測定値に相当し得る。次いで、実施形態は、様相が所定の閾値（例えば、限界膨張レベル、限界膨張率など）よりも大きいかを判定してもよい。様相が所定の閾値よりも大きいと判定したことに応答して、実施形態は、是正措置（例えば、ユーザへの通知の提供、システムからの電池の切り離し、最大電池充電レベルの低下など）の実行をトリガしてもよい。そのような方法は、電池膨張に起因するデバイスの機械的誤作動の発生を抑制または防止し得る。追加的に、そのような方法は、大型と小型の両方の、様々な異なる種類の電子機器において利用されてもよく、かつ、従来の電池膨張測定システムよりもはるかに実装コストが安価である。
【００１８】
図示の例示的な実施形態は、図を参照することによって最も良く理解されるであろう。以下の説明は、単に例として意図されたものであり、ある特定の例示的な実施形態を簡単に図示している。
【００１９】
スマートフォンおよび／またはタブレットの回路システム１００に関して、種々の他の回路、電気回路、またはコンポーネントが、情報処理デバイスにおいて利用され得るが、図１に図示する例は、例えばタブレットまたは他のモバイルコンピューティングプラットフォームに見られるシステムオンチップ設計を含む。ソフトウェアおよびプロセッサ（複数可）は、単一のチップ１１０に組み込まれる。プロセッサは、当技術分野において周知であるように、内部演算ユニット、レジスタ、キャッシュメモリ、バス、Ｉ／Ｏポートなどを備える。内部バスおよびその他は異なるベンダーに依存するが、基本的にすべての周辺機器（追加のデバイス：１２０）が単一のチップ１１０に取り付けられてもよい。回路システム１００では、プロセッサ、メモリ制御、およびＩ／Ｏコントローラハブがすべて単一のチップ１１０に組み込まれている。また、この種類の回路システム１００は、典型的には、ＳＡＴＡまたはＰＣＩもしくはＬＰＣを使用しない。一般的なインターフェースは、例えば、ＳＤＩＯおよびＩ２Ｃを含む。
【００２０】
電力管理回路（複数可）１３０、例えば、電源（図示せず）への接続によって再充電され得る、充電式の電池１４０によって、供給される電力を管理する、電池管理ユニット（Battery  Management  Unit：ＢＭＵ）が存在する。少なくとも１つの設計では、チップ１１０などの、単一のチップは、ＢＩＯＳのような機能およびＤＲＡＭメモリを提供するために使用される。
【００２１】
回路システム１００は、典型的には、通信ネットワークおよび無線インターネットデバイス、例えばアクセスポイントなどの、種々のネットワークに接続するためのＷＷＡＮ送受信器１５０およびＷＬＡＮ送受信器１６０のうちの１つまたは複数を含む。追加的に、例えば、カメラなどの画像センサ、マイクロフォンなどの音声キャプチャデバイス、加速度計またはジャイロスコープなどの運動センサ、熱センサなどの、追加のデバイス１２０が一般的に含まれる。回路システム１００は、多くの場合、データ入力および表示／レンダリングのための１つまたは複数のタッチタッチスクリーン（タッチ画面／コントローラ）１７０を含む。回路システム１００はまた、典型的には、種々のメモリデバイス、例えばフラッシュメモリ１８０およびＳＤＲＡＭ１９０を含む。
【００２２】
図２は、情報処理デバイス回路、電気回路またはコンポーネントの別の例のブロック図を描いている。図２に描かれている例は、ノースカロライナ州モリスビルのＬｅｎｏｖｏ（ＵＳ）Ｉｎｃ．によって販売されているパーソナルコンピュータのＴＨＩＮＫＰＡＤシリーズなどのコンピューティングシステムに相当し得る。本明細書における説明から明らかであるように、実施形態は、他の特徴または図２に図示する例の特徴のほんの一部を含んでもよい。
【００２３】
図２の例は、製造業者（例えば、ＩＮＴＥＬ、ＡＭＤ、ＡＲＭなど）に応じて異なり得るアーキテクチャを有するいわゆるチップセット２１０（協働する集積回路またはチップのグループ、チップセット）を含む。ＩＮＴＥＬは、米国および他の国におけるＩｎｔｅｌ  Ｃｏｒｐｏｒａｔｉｏｎの登録商標である。ＡＭＤは、米国および他の国におけるＡｄｖａｎｃｅｄ  Ｍｉｃｒｏ  Ｄｅｖｉｃｅｓ，Ｉｎｃ．の登録商標である。ＡＲＭは、米国および他の国におけるＡＲＭ  Ｈｏｌｄｉｎｇｓ  ｐｌｃの未登録商標である。チップセット２１０のアーキテクチャは、コア／メモリ制御２２０と、直接管理インターフェース（Direct  Management  Interface：ＤＭＩ）２４２またはリンクコントローラ２４４を介して情報（例えば、データ、信号、コマンドなど）を交換するＩ／Ｏコントローラハブ２５０とを含む。図２では、ＤＭＩ２４２は、チップ間インターフェース（「ノースブリッジ」と「サウスブリッジ」との間のリンクと称されることもある）である。コア／メモリ制御２２０は、１つまたは複数のプロセッサ２２２（例えば、シングルコアまたはマルチコア）と、フロントサイドバス（Front  Side  Bus：ＦＳＢ）２２４を介して情報を交換するメモリコントローラハブ２２６とを備え、従来の「ノースブリッジ」型アーキテクチャに取って代わるチップ内にコア／メモリ制御２２０のコンポーネントが集積され得ることに留意されたい。１つまたは複数のプロセッサ２２２は、当技術分野において周知であるように、内部演算ユニット、レジスタ、キャッシュメモリ、バス、Ｉ／Ｏポートなどを備える。
【００２４】
図２では、メモリコントローラハブ２２６は、（例えば、「システムメモリ」または「メモリ」と称され得るある種類のＲＡＭへのサポートを提供するために）メモリ２４０とインターフェースをとる。メモリコントローラハブ２２６は、ディスプレイデバイス２９２（例えば、ＣＲＴ、フラットパネル、タッチスクリーンなど）用の低電圧差動信号（Low  Voltage  Differential  Signaling：ＬＶＤＳ）インターフェース２３２をさらに含む。ブロック２３８は、ＬＶＤＳインターフェース２３２を介してサポートされ得るいくつかの技術（例えば、シリアルデジタルビデオ、ＨＤＭＩ（登録商標）／ＤＶＩ、ディスプレイポート）を含む。メモリコントローラハブ２２６はまた、別個のグラフィック２３６をサポートし得るＰＣＩエクスプレスインターフェース（PCI-Express  Interface：ＰＣＩ−Ｅ）２３４を含む。
【００２５】
図２では、Ｉ／Ｏコントローラハブ２５０は、ＳＡＴＡインターフェース２５１（例えば、ＨＤＤ、ＳＳＤ２８０用など）、ＰＣＩ−Ｅインターフェース２５２（例えば、無線接続２８２用）、ＵＳＢインターフェース２５３（例えば、デジタイザ、キーボード、マウス、カメラ、電話、マイクロフォン、ストレージ、他の接続デバイスなどのデバイス２８４用）ネットワークインターフェース２５４（例えば、ＬＡＮ）、ＧＰＩＯインターフェース２５５、ＬＰＣインターフェース２７０（ＡＳＩＣ２７１、ＴＰＭ２７２、スーパーＩ／Ｏ２７３、ファームウェアハブ２７４、ＢＩＯＳサポート２７５、ならびにＲＯＭ２７７、フラッシュ２７８、およびＮＶＲＡＭ２７９などの種々の種類のメモリ２７６用）、電力管理インターフェース２６１、クロックジェネレータインターフェース２６２、音声インターフェース２６３（例えば、スピーカ２９４用）、ＴＣＯインターフェース２６４、システム管理バスインターフェース２６５、ならびに、ＢＩＯＳ２６８とブートコード２９０とを含むことができる、ＳＰＩフラッシュ２６６を含む。Ｉ／Ｏコントローラハブ２５０は、ギガビットイーサネット（登録商標）サポートを含んでもよい。
【００２６】
システムは、電源投入時に、ＳＰＩフラッシュ２６６に記憶されている、ＢＩＯＳ２６８のブートコード２９０を実行し、その後、１つまたは複数のオペレーティングシステムおよびアプリケーションソフトウェア（例えば、メモリ２４０に記憶される）の制御下でデータを処理するように構成されてもよい。オペレーティングシステムは、様々な場所のいずれかに記憶され、例えば、ＢＩＯＳ２６８の命令に従ってアクセスされてもよい。本明細書で説明するように、デバイスは、図２のシステムに示す特徴よりも少ないまたは多い特徴を含んでもよい。
【００２７】
情報処理デバイス回路は、例えば図１または図２に概説するように、概してスマートフォン、タブレット、ラップトップコンピュータおよびノート型コンピュータ、パーソナルコンピュータデバイス、ならびに／または電気エネルギーを得るために電池を利用する電子デバイスなどの、デバイス内において使用されてもよい。例えば、図１に概説した回路は、タブレットまたはスマートフォンの実施形態に実装されてもよく、それに対して、図２に概説した回路は、ノート型ＰＣの実施形態に実装されてもよい。
【００２８】
ここで図３を参照すると、実施形態は、電池が限界点を超えて膨張したかまたは限界率で膨張していると判定したことに応答して、是正措置をトリガしてもよい。３０１において、実施形態は、電池の一部分に塗布された印刷抵抗素子の抵抗を測定してもよい。実施形態では、印刷抵抗素子は、導電性インク（すなわち、通電する印刷物をもたらすグラファイトまたは他の導電性材料が注入されたインク）などの素子であってもよい。簡潔にするために、残りの開示については、導電性インクを印刷抵抗素子として使用して詳解する。しかしながら、この指定は、限定を意図するものではなく、当業者であれば、他の印刷抵抗素子も利用され得ることを認識するであろう。
【００２９】
実施形態では、導電性インクは、電池の一部分に塗布されてもよい。例えば、導電性インクのラインは、１つまたは複数の部分において電池の外周にまたは外側表面の周囲に描かれてもよい。代替的に、別の実施形態では、導電性インクは、電池側面の全周に塗布されて、電池を導電性インクで効果的に覆ってもよい。
【００３０】
実施形態では、導電性インクは、材料が変形するときの電池セルの膨張に応答して抵抗を変化させる。つまり、電池セル表面が離れる方向に広がると導電性インクの抵抗が増大し、電池セル表面が互いに押圧し合うと導電性インクの抵抗が低下する。そして、この抵抗の変化は、（例えば、アクセス可能なデータ参照テーブルなどを参照することによって）膨張が実際に発生しているかを検出するために、コントローラ回路によって（例えば、連続的に、所定の時間間隔でなど）測定されてもよい。この検出は、回路設計およびインクトポグラフィーに応じて、デジタル（すなわち、膨張が発生したかの検出）またはアナログ（すなわち、膨張量の検出）であってもよい。例えば、一実施形態は、アナログ−デジタル変換器（Analog-To-Digital  Converter：ＡＤＣ）の検出電圧が膨張に比例して増減する、ＡＤＣに給電する２抵抗分圧器回路の一部としてインクを利用してもよい。よって、そのような測定方法は、発生した膨張の程度に関連付けられる数値結果（例えば、０〜１０２４オーム）をもたらしてもよい。他の実施形態は、可溶部としてまたは特定の膨張閾値における信号変化をトリガするために演算増幅器（Operational  Amplifier：ｏｐ−ａｍｐ）への入力としての使用を含む。
【００３１】
３０２において、実施形態は、前述の測定に基づいて電池膨張に関連付けられた様相を特定してもよい。実施形態では、様相は、電池膨張レベルに相当し得る。電池膨張レベルは、電池がその元の形状から膨張した量であってもよい。追加的または代替的に、電池膨張レベルは、導電性インクが抵抗を増大させた量であってもよい。この量は、導電性インクが塗布される特定の電池についてのインク抵抗と電池膨張の大きさとの間の対応する値を含む参照テーブルを利用することによって電池が膨張した量と等しいものとされてもよい。
【００３２】
実施形態では、様相は、電池膨張率に相当し得る。電池膨張率は、電池が膨張する率であってもよい。追加的または代替的に、電池膨張率は、導電性インクの抵抗が増大する率であってもよい。この率は、導電性インクが塗布される特定の電池についてのインク伸張率と電池膨張率との間の対応する値を含む参照テーブルを利用することによって電池が膨張する率と等しいものとされてもよい。
【００３３】
３０３において、実施形態は、様相が所定の閾値よりも大きいかを判定してもよい。実施形態では、所定の閾値は、限界膨張値に相当し得る。より詳細には、実施形態では、限界膨張値は、その限界値を超えて電池が膨張し続ける場合に問題が発生する可能性が高い限界値であってもよい。限界膨張値は、製造業者によって指定されるか、ユーザによって調整されるか、または別のソース（例えば、インターネットなどから取得したクラウドソーシング番号など）によって取得され得る対象数値で表されてもよい。別の実施形態では、所定の閾値は、限界膨張率に相当し得る。より詳細には、実施形態では、限界膨張率は、その膨張率よりも速く電池が膨張した場合に問題が発生する可能性が高い率であってもよい。
【００３４】
３０３において、様相が所定の閾値よりも大きくないと判定したことに応答して、実施形態は、３０４において、是正措置を全く実行しなくてもよい。３０３において、様相が所定の閾値よりも大きいと判定したことに応答して、実施形態は、３０５において、是正措置の実行をトリガしてもよい。是正措置は、次に説明する措置の１つまたは複数であってもよい。例えば、実施形態では、是正措置は、ユーザへの通知の提供であってもよい。通知は、電池膨張レベル、電池膨張率、それらの組み合わせなどが所定の閾値よりも大きいことをユーザに知らせてもよい。通知は、１つまたは複数の従来の方法（例えば、視覚的通知、可聴通知、触覚通知、それらの組み合わせ、およびその他）を使用してユーザに提供されてもよい。別の実施形態では、是正措置は、デバイスに電力を提供しているデバイスの周辺システムからの電池の切り離しであってもよい。そのような措置は、いずれかの周辺回路への損傷を抑制し、電池が受ける変形を抑制し、かつ火災の危険性を低下させ得る。さらに別の実施形態では、是正措置は、電池の最大充電レベルを下げることであってもよい。例えば、長時間にわたって高い充電状態にあることに起因して電池が膨張し始めた場合に、電池ファームウェアは、電池の膨張を検出して電池の最大充電レベルを下げることが可能であってもよい。そのため、例えば、１００％まで完全に充電されるのではなく、電池が最大８０％まで充電されて充電が停止する。実施形態では、是正措置のトリガは、追加のユーザ入力なしに自動的に発生してもよい。
【００３５】
電池のいくつかのセル構造では、充電および放電サイクルにおいて自然な量の膨張が発生する場合がある。これらのサイクルにおいて、電池は、ガスが生成され、次いで再吸収されるので、電池の充電中に「呼吸する」、比喩的に言うと呼気および吸入する。実施形態は、自然膨張（例えば、既知の自然膨張値および率など）に関連付けられた様相を検出して、その後、特定した電池膨張レベルまたは電池膨張率が単に自然膨張に関連付けられ得るかを判定することが可能であってもよい。特定した値が自然膨張値に関連付けられていると判定したことに応答して、実施形態は、３０４において、是正措置を講じなくてもよい。
【００３６】
したがって、本明細書で説明する種々の実施形態は、従来の電池膨張検出技術に対する技術の改善を表す。本明細書で説明する技術を使用して、実施形態は、デバイスの電池の一部分に塗布された印刷抵抗素子の抵抗を測定してもよい。実施形態は、その後、様相に基づいて電池膨張に関連付けられた様相を特定し、その後、様相が所定の閾値よりも大きいかを判定してもよい。様相が所定の閾値よりも大きいと判定したことに応答して、実施形態は、実行されるべき是正措置をトリガしてもよい。そのような技術によって、電池膨張のリアルタイムでのコスト効率の高い検出が可能となる。
【００３７】
当業者によって認識されるように、種々の態様は、システム、方法、またはデバイスプログラム製品として具体化されてもよい。よって、態様は、完全にハードウェアの実施形態または概して本明細書ではすべて「回路」、「モジュール」もしくは「システム」と称され得るソフトウェアを含む実施形態の形をとってもよい。さらに、態様は、デバイス可読媒体によって具体化されたデバイス可読プログラムコードを有する１つまたは複数のデバイス可読媒体（複数可）内に具体化されたデバイスプログラム製品の形をとってもよい。
【００３８】
本明細書で説明する種々の機能が、プロセッサによって実行される非信号記憶デバイスなどのデバイス可読記憶媒体に記憶された命令を使用して実施され得ることが留意されるべきである。記憶デバイスは、例えば、システム、装置、またはデバイス（例えば、電子、磁気、光学、電磁、赤外線、もしくは半導体システム、装置、もしくはデバイス）あるいは前述の任意の好適な組み合わせであってもよい。記憶デバイス／媒体のより具体的な例としては、以下のもの、すなわち、携帯用コンピュータディスケット、ハードディスク、ランダムアクセスメモリ（Random  Access  Memory：ＲＡＭ）、読み取り専用メモリ（Read-Only  Memory：ＲＯＭ）、消去可能プログラマブル読み取り専用メモリ（Erasable  Programmable  Read-Only  Memory：ＥＰＲＯＭもしくはフラッシュメモリ）、光ファイバ、携帯用コンパクトディスク読み取り専用メモリ（Compact  Disc  Read-Only  Memory：ＣＤ−ＲＯＭ）、光記憶デバイス、磁気記憶デバイス、または前述の任意の好適な組み合わせが挙げられる。本文書の文脈では、記憶デバイスは信号ではなく、また「非一時的」とは、信号媒体を除くすべての媒体を含む。
【００３９】
記憶媒体上に具体化されたプログラムコードは、限定されるものではないが、無線、有線、光ファイバケーブル、ＲＦなど、または前述の任意の好適な組み合わせを含む、任意の適切な媒体を使用して送信されてもよい。
【００４０】
動作を行うためのプログラムコードは、１つまたは複数のプログラミング言語の任意の組み合わせで記述されてもよい。プログラムコードは、完全に単一のデバイス上で、部分的に単一のデバイス上で、スタンドアロン型ソフトウェアパッケージとして、部分的に単一のデバイス上で、部分的に別のデバイス上で、または完全に他のデバイス上で実行されてもよい。場合により、デバイスが、ローカルエリアネットワーク（Local  Area  Network：ＬＡＮ）または広域ネットワーク（Wide  Area  Network：ＷＡＮ）を含む、任意の種類の接続またはネットワークを通じて接続されてもよく、あるいは、接続が、他のデバイスを通じて（例えば、インターネットサービスプロバイダを利用したインターネットを通じて）、無線接続、例えば近距離無線通信を通じて、またはＵＳＢ接続などでの、有線接続を通じて行われてもよい。
【００４１】
例示的な実施形態は、種々の例示的な実施形態による例示的な方法、デバイスおよびプログラム製品を図示する、図を参照しながら本明細書において説明される。アクションおよび機能がプログラム命令によって少なくとも部分的に実施され得ることが理解されるであろう。これらのプログラム命令は、デバイスのプロセッサ、専用の情報処理デバイス、または機械を生産するための他のプログラム可能なデータ処理デバイスに提供されてもよく、その結果、デバイスのプロセッサによって実行される、命令が、指定された機能／動作を実施する。
【００４２】
図では特定のブロックが使用され、ブロックの特定の順序が図示されているが、これらが非限定的な例であることは注目に値する。図示の明示的な例は、説明の目的でのみ使用されており、限定的なものと解釈されるべきではないので、ある特定の文脈では、２つ以上のブロックが組み合わされてもよく、ブロックが２つ以上のブロックに分割されてもよく、またはある特定のブロックが、必要に応じて、並べ替えられるかまたは再編成されてもよい。
【００４３】
本明細書で使用される場合、単数形「１つの（ａ）」および「１つの（ａｎ）」は、別段の明確な指示がない限り、複数形「１つまたは複数の」を含むものとして解釈されてもよい。
【００４４】
本開示は、例示および説明の目的で提示されているが、網羅的または限定的であることを意図するものではない。多くの修正および変形が当業者には明らかであろう。例示的な実施形態は、原理および実際の用途を解説するため、ならびに、企図される特定の使用に適合するような種々の変更を伴う種々の実施形態に関する開示内容を当業者が理解できるようにするために、選択および説明されている。
【００４５】
したがって、図示の例示的な実施形態は、添付の図を参照しながら本明細書において説明されているが、本説明が限定されるものではないことと、本開示の範囲または趣旨から逸脱することなく、種々の他の変更および修正が当業者によって影響され得ることが理解されるべきである。
【符号の説明】
【００４６】
１００  回路システム
１１０  チップ（ソフトウェア＋プロセッサ）
１２０  追加のデバイス
１３０  電力管理回路
１４０  電池
１５０  ＷＷＡＮ送受信器
１６０  ＷＬＡＮ送受信器
１７０  タッチ画面／コントローラ
１８０  フラッシュメモリ
１９０  ＳＤＲＡＭ
２１０  チップセット
２２０  コア／メモリ制御
２２２  プロセッサ
２２６  メモリコントローラハブ
２３２  ＬＶＤＳインターフェース
２３４  ＰＣＩエクスプレスインターフェース
２３６  別個のグラフィック
２４０  メモリ
２５０  Ｉ／Ｏコントローラハブ
２５１  ＳＡＴＡインターフェース
２５２  ＰＣＩ−Ｅインターフェース
２５３  ＵＳＢインターフェース
２５５  ＧＰＩＯインターフェース
２６１  電力管理インターフェース
２６２  クロックジェネレータインターフェース
２６３  音声インターフェース
２６４  ＴＣＯインターフェース
２６５  システム管理バスインターフェース
２６６  ＳＰＩフラッシュ
２６８  ＢＩＯＳ
２７０  ＬＰＣインターフェース
２７４  ファームウェアハブ
２７５  ＢＩＯＳサポート
２７６  メモリ
２７７  ＲＯＭ
２７８  フラッシュ
２７９  ＮＶＲＡＭ
２９０  ブートコード
２９４  スピーカ
【図１】
2020102449.tif 000003
【図２】
2020102449.tif 000004
【図３】
2020102449.tif 000005